【手続補正書】
【提出日】平成19年1月17日(2007.1.17)
【手続補正１】
【補正対象書類名】明細書
【補正対象項目名】請求項１
【補正方法】変更
【補正の内容】
【請求項１】  発光部および受光部を有する光学センサの前記発光部および前記受光部の少なくとも一方に供給する電気信号を変調可能な工程と、
前記光学センサにより光学特性の異なる複数のパターンの当該光学特性を測定する工程と、
当該測定を複数段階の前記変調量毎に実行する工程と、
前記複数段階の前記変調量毎に測定を行った結果から所定の測定レンジが得られる変調量を取得する工程と、
を具えたことを特徴とする光学センサのキャリブレーション方法。
【手続補正２】
【補正対象書類名】明細書
【補正対象項目名】請求項３
【補正方法】変更
【補正の内容】
【請求項３】  前記所定の測定レンジが得られる変調量は、前記所定の測定レンジにおいて前記受光部の出力特性が、線形の出力特性と一致するときの変調量、または前記複数段階の変調量毎の測定結果のうち最も近くなるときの変調量であることを特徴とする請求項１または２に記載の光学センサのキャリブレーション方法。
【手続補正３】
【補正対象書類名】明細書
【補正対象項目名】請求項４
【補正方法】変更
【補正の内容】
【請求項４】  ある変調量に対する少なくとも２つ変調量について前記測定を行った結果から前記受光部の仮想的な線形出力特性を算出する工程と、
当該算出に用いた前記測定結果以外の測定結果が前記仮想的な線形出力特性から外れている場合には他の変調量に対して前記算出工程を実行させて、前記所定の測定レンジにおいて前記受光部の出力特性が線形となる変調量を得る工程とを含むことを特徴とする請求項１または２に記載の光学センサのキャリブレーション方法。
【手続補正４】
【補正対象書類名】明細書
【補正対象項目名】請求項５
【補正方法】変更
【補正の内容】
【請求項５】  発光部および受光部を有する光学センサの前記発光部および前記受光部の少なくとも一方に供給する電気信号を変調可能な工程と、
前記光学センサにより所定の光学特性を有するパターンの当該光学特性を測定する工程と、
当該測定を複数段階の前記変調量毎に実行させる工程と、
当該変調量毎の測定値を所定のしきい値と比較する工程と、
当該比較の結果前記しきい値に前記測定値が一致するまたは最も近くなるときの変調量を所定の測定レンジが得られる変調量として選定する工程と、
を具えたことを特徴とする光学センサのキャリブレーション方法。
【手続補正５】
【補正対象書類名】明細書
【補正対象項目名】請求項６
【補正方法】変更
【補正の内容】
【請求項６】  発光部および受光部を有する光学センサの前記発光部および前記受光部の少なくとも一方に供給する電気信号を変調可能な工程と、
前記光学センサにより所定の光学特性を有するパターンの当該光学特性を測定する工程と、
当該測定を複数段階の前記変調量毎に実行させる工程と、
当該変調量毎の測定値を所定のしきい値と比較する工程と、
当該比較の結果前記しきい値に前記測定値が一致するまたは最も近くなるときの変調量を選定する工程と、
当該選定された変調量付近で複数段階に変調を行いつつ、前記光学センサにより光学特性の異なる複数のパターンの当該光学特性を測定する工程と、
この結果から所定の測定レンジが得られる変調量を取得する工程と、
を具えたことを特徴とする光学センサのキャリブレーション方法。
【手続補正６】
【補正対象書類名】明細書
【補正対象項目名】請求項１２
【補正方法】変更
【補正の内容】
【請求項１２】  前記調整値取得工程は、前記パターンを形成する場合の前記ずれ量より細かいピッチのドット形成位置条件に従って前記調整値を得ることを特徴とする請求項８ないし１１のいずれかに記載のプリント位置合わせ方法。
【手続補正７】
【補正対象書類名】明細書
【補正対象項目名】請求項１３
【補正方法】変更
【補正の内容】
【請求項１３】  前記パターン形成工程では、プリント装置が制御可能なプリント位置のピッチよりも大きなピッチでのパターン形成を行うことを特徴とする請求項８ないし１２のいずれかに記載のプリント位置合わせ方法。
【手続補正８】
【補正対象書類名】明細書
【補正対象項目名】請求項１６
【補正方法】変更
【補正の内容】
【請求項１６】  プリント剤を前記プリント媒体に付与するプリント素子がインラインに等間隔で、前記プリントヘッドが走査される方向とは異なる方向に複数配列されて前記第１プリントを行うプリントヘッドと、プリント剤を前記プリント媒体に付与するプリント素子がインラインに等間隔で、前記プリントヘッドが走査される方向とは異なる方向に複数配列されて前記第２プリントを行うプリントヘッドとを前記走査の方向に並置して用いるプリント装置に対してプリント位置合わせを行うことを特徴とする請求項８ないし１５のいずれかに記載のプリント位置合わせ方法。
【手続補正９】
【補正対象書類名】明細書
【補正対象項目名】００３３
【補正方法】変更
【補正の内容】
【００３３】
【課題を解決するための手段】
まず、本発明光学センサのキャリブレーション方法は、発光部および受光部を有する光学センサの前記発光部および前記受光部の少なくとも一方に供給する電気信号を変調可能な工程と、前記光学センサにより光学特性の異なる複数のパターンの当該光学特性を測定する工程と、当該測定を複数段階の前記変調量毎に実行する工程と、前記複数段階の前記変調量毎に測定を行った結果から所定の測定レンジが得られる変調量を取得する工程と、を具えたことを特徴とする。
【手続補正１０】
【補正対象書類名】明細書
【補正対象項目名】００３５
【補正方法】変更
【補正の内容】
【００３５】
前記所定の測定レンジが得られる変調量は、前記所定の測定レンジにおいて前記受光部の出力特性が、線形の出力特性と一致するときの変調量、または前記複数段階の変調量毎の測定結果のうち最も近くなるときの変調量とすることができる。
【手続補正１１】
【補正対象書類名】明細書
【補正対象項目名】００３６
【補正方法】変更
【補正の内容】
【００３６】
または、ある変調量に対する少なくとも２つ変調量について前記測定を行った結果から前記受光部の仮想的な線形出力特性を算出する工程と、
当該算出に用いた前記測定結果以外の測定結果が前記仮想的な線形出力特性から外れている場合には他の変調量に対して前記算出工程を実行させて、前記所定の測定レンジにおいて前記受光部の出力特性が線形となる変調量を得る工程とを含むことができる。
【手続補正１２】
【補正対象書類名】明細書
【補正対象項目名】００３７
【補正方法】変更
【補正の内容】
【００３７】
また、本発明光学センサのキャリブレーション方法は、発光部および受光部を有する光学センサの前記発光部および前記受光部の少なくとも一方に供給する電気信号を変調可能な工程と、前記光学センサにより所定の光学特性を有するパターンの当該光学特性を測定する工程と、当該測定を複数段階の前記変調量毎に実行させる工程と、当該変調量毎の測定値を所定のしきい値と比較する工程と、
当該比較の結果前記しきい値に前記測定値が一致するまたは最も近くなるときの変調量を所定の測定レンジが得られる変調量として選定する工程と、を具えたことを特徴とする。
【手続補正１３】
【補正対象書類名】明細書
【補正対象項目名】００３８
【補正方法】変更
【補正の内容】
【００３８】
また、本発明光学センサのキャリブレーション方法は、発光部および受光部を有する光学センサの前記発光部および前記受光部の少なくとも一方に供給する電気信号を変調可能な工程と、前記光学センサにより所定の光学特性を有するパターンの当該光学特性を測定する工程と、当該測定を複数段階の前記変調量毎に実行させる工程と、当該変調量毎の測定値を所定のしきい値と比較する工程と、当該比較の結果前記しきい値に前記測定値が一致するまたは最も近くなるときの変調量を選定する工程と、当該選定された変調量付近で複数段階に変調を行いつつ、前記光学センサにより光学特性の異なる複数のパターンの当該光学特性を測定する工程と、この結果から所定の測定レンジが得られる変調量を取得する工程と、を具えたことを特徴とする。
【手続補正１４】
【補正対象書類名】明細書
【補正対象項目名】００４６
【補正方法】変更
【補正の内容】
【００４６】
前記調整値取得工程または手段は、前記パターンを形成する場合の前記ずれ量より細かいピッチのドット形成位置条件に従って前記調整値を得るものとすることができる。
【手続補正１５】
【補正対象書類名】明細書
【補正対象項目名】００４７
【補正方法】変更
【補正の内容】
【００４７】
前記パターン形成工程または手段では、プリント装置が制御可能なプリント位置のピッチよりも大きなピッチでのパターン形成を行うものとすることができる。
【手続補正１６】
【補正対象書類名】明細書
【補正対象項目名】００５０
【補正方法】削除
【補正の内容】
【手続補正１７】
【補正対象書類名】明細書
【補正対象項目名】００５１
【補正方法】変更
【補正の内容】
【００５１】
プリント剤を前記プリント媒体に付与するプリント素子がインラインに等間隔で、前記プリントヘッドが走査される方向とは異なる方向に複数配列されて前記第１プリントを行うプリントヘッドと、プリント剤を前記プリント媒体に付与するプリント素子がインラインに等間隔で、前記プリントヘッドが走査される方向とは異なる方向に複数配列されて前記第２プリントを行うプリントヘッドとを前記走査の方向に並置して用いるプリント装置に対してプリント位置合わせを行うものとすることができる。
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】